(57)【特許請求の範囲】
【請求項１】
放送衛星、通信衛星、地上波の放送局、ケーブルテレビのセンタ局の少なくとも何れかを含む送信局から送信され、複数個のトランスポートパケットから構成されており、一部のトランスポートパケットのペイロードがスクランブルされたＩピクチャの一部を含んでおり、さらに各トランスポートパケットのヘッダにおいて予め定められた予約ビットが第１の値に設定されているトランスポートストリームに記録処理および再生処理を行うデジタル信号記録再生システムであって、
前記トランスポートストリームを受信するデコードユニットと、
前記デコードユニットから離れた場所に設置可能な蓄積ユニットとを備え、
前記デコードユニットは、
受信トランスポートストリームにデスクランブル処理を行って、各ペイロードのスクランブルが解除されたトランスポートストリームを出力するデスクランブラと、
前記デスクランブラの出力トランスポートストリームから、Ｉピクチャの一部を含んでいるペイロードを検出し、その検出結果を出力するＩピクチャ検出部と、
前記Ｉピクチャ検出部の出力検出結果を参照して、デスクランブラに入力されないトランスポートストリームについて、Ｉピクチャのペイロードに付加されたヘッダ内の前記予約ビットの値を、前記第１の値とは異なる第２の値に変更して出力するヘッダ加工部と、
前記ヘッダ加工部からの出力トランスポートストリームを前記蓄積ユニットに送信する第１のインタフェイスとを備え、
前記蓄積ユニットは、
前記第１のインタフェイスが送信したトランスポートストリームを受信して出力する第２のインタフェイスと、
前記第２のインタフェイスの出力トランスポートストリームの書き込み処理を行うデータ管理部と、
前記データ管理部により書き込み処理されたトランスポートパケットを蓄積する記憶媒体と、
を備えるデジタル信号記録再生システム。
【請求項２】
前記デコードユニットは、システムデコーダをさらに備え、
前記蓄積ユニットはパケットセレクタをさらに備え、
前記データ管理部はさらに、前記記憶媒体に蓄積されたトランスポートパケットを読み出して出力し、
前記パケットセレクタは、前記データ管理部の出力トランスポートパケットから、その予約ビットに前記第２の値が設定されているトランスポートパケットのみを選択し、選択したトランスポートパケットからなるトランスポートストリームを出力し、
前記第２のインタフェイスはさらに、前記パケットセレクタからの出力トランスポートストリームを前記デコードユニットに送信し、
前記第１のインタフェイスは、前記第２のインタフェイスが送信したトランスポートストリームを出力し、
前記デスクランブラは、前記第１のインタフェイスの出力トランスポートストリームにデスクランブル処理を行って、各ペイロードのスクランブルが解除されたトランスポートストリームを出力し、
前記システムデコーダは、前記デスクランブラの出力トランスポートストリームにデコード処理を行って、デジタル映像信号およびデジタル音声信号を再生する、
請求項１に記載のデジタル信号記録再生システム。
【請求項３】
前記予約ビットは、ＩＳＯ／ＩＥＣ１３８１８−１で規定されるｔｒａｎｓｐｏｒｔ＿ｐｒｉｏｒｉｔｙである、請求項１乃至２の何れかに記載のデジタル信号記録再生システム。
【請求項４】
放送衛星、通信衛星、地上波の放送局、ケーブルテレビのセンタ局の少なくとも何れかを含む送信局から送信され、複数個のトランスポートパケットから構成されており、トランスポートパケットのペイロードがパケッタイズドエレメンタリストリームの一部を含んでおり、前記パケッタイズドエレメンタリストリームは、複数個のＰＥＳパケットから構成されており、一部のＰＥＳパケットのペイロードがスクランブルされたＩピクチャを含んでおり、さらに各トランスポートパケットのヘッダにおいて予め定められた予約ビットが第１の値に設定されているトランスポートストリームに記録処理および再生処理を行うデジタル信号記録再生システムであって、
前記トランスポートストリームを受信するデコードユニットと、
前記デコードユニットから離れた場所に設置可能な蓄積ユニットとを備え、
前記デコードユニットは、
受信トランスポートストリームにデスクランブル処理を行って、各ＰＥＳパケットのペイロードのスクランブルが解除されたトランスポートストリームを出力するデスクランブラと、
前記デスクランブラの出力トランスポートストリームから、Ｉピクチャを含んでいるＰＥＳパケットのペイロードを検出し、その検出結果を出力するＩピクチャ検出部と、
前記Ｉピクチャ検出部の出力検出結果を参照して、デスクランブラに入力されないトランスポートストリームについて、Ｉピクチャのペイロードに付加されたヘッダ内の前記予約ビットの値を、前記第１の値とは異なる第２の値に変更して出力するヘッダ加工部と、
前記ヘッダ加工部からの出力トランスポートストリームを前記蓄積ユニットに送信する第１のインタフェイスとを備え、
前記蓄積ユニットは、
前記第１のインタフェイスが送信したトランスポートストリームを受信して出力する第２のインタフェイスと、
前記第２のインタフェイスの出力トランスポートストリームからパケッタイズドエレメンタリストリームを構成するＰＥＳ構成部と、
前記ＰＥＳ構成部の出力パケッタイズドエレメンタリストリームに書き込み処理を行うデータ管理部と、
前記データ管理部により書き込み処理されたパケッタイズドエレメンタリストリームを蓄積する記憶媒体と、
を備えるデジタル信号記録再生システム。
【請求項５】
前記デコードユニットは、システムデコーダをさらに備え、
前記蓄積ユニットはパケットセレクタおよびＴＳ構成部とをさらに備え、
前記データ管理部はさらに、前記記憶媒体に蓄積されたパケッタイズドエレメンタリストリームを読み出して出力し、
前記パケットセレクタは、前記データ管理部の出力パケッタイズドエレメンタリストリームから、その予約ビットに第２の値が設定されているＰＥＳパケットのみを選択し、選択したＰＥＳパケットからなるパケッタイズドエレメンタリストリームを出力し、
前記ＴＳ構成部は、前記パケットセレクタの出力パケッタイズドエレメンタリストリームから、トランスポートストリームを構成し、
前記第２のインタフェイスはさらに、前記ＴＳ構成部の出力トランスポートストリームを前記デコードユニットに送信し、
前記第１のインタフェイスは、前記第２のインタフェイスが送信したトランスポートストリームを出力し、
前記デスクランブラは、前記第１のインタフェイスの出力トランスポートストリームにデスクランブル処理を行って、各ＰＥＳパケットのペイロードのスクランブルが解除されたトランスポートストリームを出力し、
前記システムデコーダは、前記デスクランブラの出力トランスポートストリームにデコード処理を行って、デジタル映像信号およびデジタル音声信号を再生する、請求項４に記載のデジタル信号記録再生システム。
【請求項６】
前記予約ビットは、ＩＳＯ／ＩＥＣ１３８１８−１で規定されるＰＥＳ＿ｐｒｉｏｒｉｔｙである、請求項４乃至５の何れかに記載のデジタル信号記録再生システム。
【発明の詳細な説明】
【０００１】
【発明の属する技術分野】
本発明は、デジタル信号記録再生システムに関し、より特定的には、スクランブルされたトランスポートストリームを記憶媒体に記録して、記録されたトランスポートストリームからデジタル信号を再生できるシステムに関する。
【０００２】
【従来の技術】
上記デジタル信号記録再生システム（以下、単に記録再生システムと称す）には、ＭＰＥＧ２（Ｍｏｖｉｎｇ  Ｐｉｃｔｕｒｅ  Ｅｘｐｅｒｔｓ  ＧｒｏｕｐＰｈａｓｅ  ２）に代表されるデジタル高能率符号化技術が用いられている。デジタル高能率符号化技術により、記録再生システムは、受信したトランスポートストリームを、画質劣化なく長時間にわたって記録できるようになった。しかし、映像の著作権保護等の観点から、大抵の場合、トランスポートストリーム内の各ペイロードはスクランブルされている。
【０００３】
また、記録再生システムは、ＭＰＥＧ２に従って符号化された各ピクチャの内、フレーム内コーディングされたもの（以下、Ｉピクチャと称す）を選択的に再生する処理（以下、高速再生と称す）を行う場合がある。
以下、図９を参照して、高速再生を行う記録再生システムについて説明する。図９において、記録再生システムは、データ管理部１００１と、記憶媒体１００２と、セレクタ１００３と、デスクランブラ１００４と、ＭＰＥＧシステムデコーダ１００５と、位置情報作成部１００６とを備える。
【０００４】
上記構成の記録再生システムは、以下に説明する３つの基本的な動作モードを有する。
まず、第１の動作モードにおいて、外部から記録再生システムに到着したトランスポートストリームＴＳは２分岐される。一方のトランスポートストリームＴＳはデータ管理部１００１により入力され、他方はセレクタ１００３により入力される。
データ管理部１００１は、入力トランスポートストリームＴＳを、内部のバッファに一時的に格納して、位置情報作成部１００６からの位置情報ＰＩを待機する。
【０００５】
セレクタ１００３は、第１の動作モードでは、外部からのトランスポートストリームＴＳの入力系統を選択し、入力トランスポートストリームＴＳをそのままデスクランブラ１００４に出力する。
【０００６】
デスクランブラ１００４は、デスクランブル鍵を使って、入力トランスポートストリームＴＳのスクランブルを解除する。これによって、構文解析が可能なデータ列となったトランスポートストリームＤＥＴＳが再生される。トランスポートストリームＤＥＴＳは、ＭＰＥＧシステムデコーダ１００５および位置情報作成部１００６に出力される。
【０００７】
ＭＰＥＧシステムデコーダ１００５は、入力トランスポートストリームＤＥＴＳに対してデコード処理を行って、映像信号ＶＳおよび音声信号ＡＳを再生する。映像信号ＶＳおよび音声信号ＡＳの双方はベースバンド帯のデジタル信号であり、当該映像信号ＶＳは、番組等の映像を表し、音声信号ＡＳは番組等の音声を表す。映像信号ＶＳは図示しない表示装置に出力され、音声信号ＡＳは図示しない音声出力装置に出力される。
【０００８】
位置情報作成部１００６は、デスクランブラ１００４の出力トランスポートストリームＤＥＴＳの中から、そのペイロードにＩピクチャの一部を含むトランスポートパケット（以下、Ｉピクチャのトランスポートパケットと称す）を探す。Ｉピクチャのトランスポートパケットを見つけた場合、位置情報作成部１００６は、当該パケットのトランスポートストリームＤＥＴＳにおける位置を特定する。各ビット位置は、位置情報ＰＩとしてデータ管理部１００１に出力される。
【０００９】
データ管理部１００１は、位置情報ＰＩの入力に応答して、アドレステーブルＡＴの作成処理を開始する。上述したように、データ管理部１００１は、内部のバッファでトランスポートストリームＴＳを保持している。しかし、バッファ内のトランスポートストリームＴＳはスクランブルされているので、データ管理部１００１は、当該トランスポートストリームＴＳから直接的にＩピクチャのトランスポートパケットを見つけることができない。ゆえに、データ管理部１００１は、入力位置情報ＰＩを参照して、Ｉピクチャのトランスポートパケットの位置を、バッファ内のトランスポートストリーム上で把握する。
【００１０】
さらに、データ管理部１００１は、バッファ内のトランスポートストリームＴＳの各トランスポートパケットを、記憶媒体１００２の第１の記憶領域１００２１のどのアドレス領域に記録するかを決定、つまり各トランスポートパケットにアドレス領域を割り当てる。その後、データ管理部１００１は、Ｉピクチャのトランスポートパケットに割り当てたアドレス領域だけを集めてアドレステーブルＡＴを作成する。
【００１１】
その後、データ管理部１００１は、バッファ内の各トランスポートパケットを第１の記憶領域１００２１に書き込む。また、データ管理部１００１は、作成したアドレステーブルＡＴを、記憶媒体１００２の第２の記憶領域１００２２に書き込む。
【００１２】
次に、第２の動作モード、つまり通常再生について説明する。第２の動作モードにおいて、データ管理部１００１は、第２の記憶領域１００２２内のアドレステーブルＡＴを考慮することなく、トランスポートストリームＴＳを先頭から順番に、第１の記憶領域１００２１から読み出して、セレクタ１００３に出力する。
【００１３】
セレクタ１００３は、第２の動作モードではデータ管理部１００１側の入力系統を選択し、入力トランスポートストリームＴＳをそのままデスクランブラ１００４に出力する。
デスクランブラ１００４およびＭＰＥＧシステムデコーダ１００５は、第１のモードと同様の処理を行って、映像信号ＶＳおよび音声信号ＡＳを再生する。
【００１４】
次に、第３の動作モード、つまり高速再生について説明する。第３の動作モードにおいて、データ管理部１００１は、第２の記憶領域１００２２からアドレステーブルＡＴを読み出す。データ管理部１００１は、読み出したアドレステーブルＡＴに記述されたアドレス領域から、Ｉピクチャのトランスポートパケットのみを読み出して、読み出された各トランスポートパケットから構成されるトランスポートストリームＴＳ’をセレクタ１００３に出力する。
【００１５】
なお、データ管理部１００１は、音声に関しては、例えば２倍速再生であれば、音声１秒分のトランスポートパケットを読み出した後に、次の１秒分のトランスポートパケットを読み出さずに、１秒後の音声を表すトランスポートパケットを読み出すという処理を繰り返す。
【００１６】
セレクタ１００３、デスクランブラ１００４およびＭＰＥＧシステムデコーダ１００５は、第１の動作モードと同様の処理を行って、映像信号ＶＳ’および音声信号ＡＳ’を再生して、外部に出力する。
映像信号ＶＳ’は、ベースバンド帯のデジタル映像信号という点では、映像信号ＶＳと同様であるが、Ｉピクチャのトランスポートパケットのみから再生される点で相違する。音声信号ＡＳ’は、ベースバンド帯のデジタル音声信号という点では、音声信号ＡＳと同様であるが、部分的な音声を表すトランスポートパケットのみから再生される点で相違する。そのため、テレビジョンに代表される表示装置が映像信号ＶＳ’および音声信号ＡＳ’を処理すると、番組は通常再生時よりも高速に再生される。
【００１７】
【発明が解決しようとする課題】
従来の記録再生システムには、セレクタ１００３、デスクランブラ１００４およびＭＰＥＧシステムデコーダ１００５等で構成されるデコード処理系と、データ管理部１００１および記憶媒体１００２等で構成される読み出し／書き込み処理系とが一つの筐体内に近接して配置される。
【００１８】
近年、居住空間には、複数台の表示装置が設置される場合が多い。そのため、１つの読み出し／書き込み処理系を居住空間内のある特定の位置に配置し、デコード処理系を複数の表示装置のそれぞれに近接して設置したいという要望が出てきた。
【００１９】
しかしながら、従来の記録再生システムを単純に、読み出し／書き込み処理系とデコード処理系とに分離して、当該読み出し／書き込み処理系と当該デコード処理系とをケーブルで接続して離して設置するだけでは、高速再生を実現し難くなるという問題点があった。
【００２０】
なぜなら、読み出し／書き込み処理系と、デコード処理系とが同一筐体内に近接している場合には、データ管理部１００１に設けられたバッファにより、トランスポートストリームＴＳが当該データ管理部１００１に到着する時間と、位置情報ＰＩのそこに到着する時間の差を吸収することができる。しかしながら、読み出し／書き込み処理系と、デコード処理系とを離して設置した場合には、位置情報ＰＩがトランスポートストリームＴＳに対してどの程度の時間遅れて到着するかが正確に分からない。このような到着タイミングのずれが原因となって、データ管理部１００１は、アドレステーブルＡＴを作成できない場合があり、その結果、高速再生を実現し難くなる。
【００２１】
また、従来の記録再生システムでは、トランスポートストリームＴＳとアドレステーブルＡＴとが記憶媒体１００２内の別々の記憶領域に書き込まれていたので、データ管理部１００１の書き込み処理が複雑になるという別の問題点があった。
【００２２】
それゆえに、本発明の目的は、読み出し／書き込み処理系とデコード処理系とを遠隔に設置した場合であっても、高速再生を行える記録再生システムを提供することである。
【００２３】
【課題を解決するための手段および発明の効果】
第１の発明は、送信局から送信されてくるトランスポートストリームに記録処理および再生処理を行うシステムであって、複数個のトランスポートパケットから構成されており、一部のトランスポートパケットのペイロードがスクランブルされたＩピクチャの一部を含んでおり、さらに各トランスポートパケットのヘッダにおいて予め定められた予約ビットが第１の値に設定されているトランスポートストリームを、送信局から受信する。
【００２４】
さらに、記録再生システムは、蓄積ユニットと、蓄積ユニットから離れた場所に設置可能なデコードユニットとを備える。デコードユニットは、受信トランスポートストリームを２分岐し出力する分岐部と、分岐部の出力トランスポートストリームの一方にデスクランブル処理を行って、各ペイロードのスクランブルが解除されたトランスポートストリームを出力するデスクランブラと、デスクランブラの出力トランスポートストリームから、Ｉピクチャの一部を含むペイロードを検出し、その検出結果を出力するＩピクチャ検出部と、Ｉピクチャ検出部の出力検出結果を参照して、分岐部の出力トランスポートストリームの他方から、Ｉピクチャのペイロードに付加されたヘッダを特定し、当該特定したヘッダ内の予約ビットの値を、第１の値とは異なる第２の値に変更して出力するヘッダ加工部と、ヘッダ加工部からの出力トランスポートストリームを蓄積ユニットに送信する第１のインタフェイスとを備える。
【００２５】
また、蓄積ユニットは、第１のインタフェイスが送信したトランスポートストリームを受信して出力する第２のインタフェイスと、第２のインタフェイスの出力トランスポートストリームの書き込み処理を行うデータ管理部と、データ管理部により書き込み処理されたトランスポートパケットを蓄積する記憶媒体とを備える。
【００２６】
第２の発明は第１の発明に従属しており、予約ビットは、ＩＳＯ／ＩＥＣ１３８１８−１で規定されるｔｒａｎｓｐｏｒｔ＿ｐｒｉｏｒｉｔｙである。
【００２７】
第１および第２の発明によれば、トランスポートストリームの予約ビットを、Ｉピクチャの判定用に用いることにより、従来のようにアドレステーブルを作成する必要が無くなる。その結果、データ管理部は、記憶媒体の記憶領域を簡単に管理することができる。
【００２８】
さらに、アドレステーブルを無くしたことにより、従来のようなトランスポートストリームと位置情報との到着タイミングを正確にコントロールする必要もなくなる。さらに、予約ビットを使って、Ｉピクチャのトランスポートパケットのみを簡単に選択することができるので、デコードユニットと蓄積ユニットとを離して設置することができる。
【００２９】
第３の発明は第１の発明に従属しており、デコードユニットは、システムデコーダをさらに備える。また、蓄積ユニットはパケットセレクタをさらに備える。
【００３０】
蓄積ユニットにおいて、データ管理部はさらに、記憶媒体に蓄積されたトランスポートパケットを読み出して出力し、パケットセレクタは、データ管理部の出力トランスポートパケットから、その予約ビットに第２の値が設定されているトランスポートパケットのみを選択し、選択したトランスポートパケットからなるトランスポートストリームを出力し、第２のインタフェイスはさらに、パケットセレクタからの出力トランスポートストリームをデコードユニットに送信する。
【００３１】
デコードユニットにおいて、第１のインタフェイスは、第２のインタフェイスが送信したトランスポートストリームを出力し、デスクランブラは、第１のインタフェイスの出力トランスポートストリームにデスクランブル処理を行って、各ペイロードのスクランブルが解除されたトランスポートストリームを出力し、システムデコーダは、デスクランブラの出力トランスポートストリームにデコード処理を行って、デジタル映像信号およびデジタル音声信号を再生する。
【００３２】
第４の発明は第１の発明に従属しており、予約ビットは、ＩＳＯ／ＩＥＣ１３８１８−１で規定されるｔｒａｎｓｐｏｒｔ＿ｐｒｉｏｒｉｔｙである。
パケットセレクタは、データ管理部の出力トランスポートパケットから、そのｔｒａｎｓｐｏｒｔ＿ｐｒｉｏｒｉｔｙに第２の値が設定されているトランスポートパケットのみを選択する。
【００３３】
第３および第４の発明によれば、予約ビットを使った判定処理により、Ｉピクチャのトランスポートパケットのみを簡単に選択することができる。
【００３４】
第５の発明は、送信局から送信されてくるトランスポートストリームに記録処理および再生処理を行うシステムであって、複数個のトランスポートパケットから構成されており、トランスポートパケットのペイロードがパケッタイズドエレメンタリストリームの一部を含むトランスポートストリームを、送信局から受信する。ここで、パケッタイズドエレメンタリストリームは、複数個のＰＥＳパケットから構成されており、一部のＰＥＳパケットのペイロードがスクランブルされたＩピクチャを含み、さらに各トランスポートパケットのヘッダにおいて予め定められた予約ビットが第１の値に設定される。
【００３５】
さらに、記録再生システムは、蓄積ユニットと、蓄積ユニットから離れた場所に設置可能なデコードユニットとを備える。デコードユニットは、受信トランスポートストリームを２分岐し出力する分岐部と、分岐部の出力トランスポートストリームの一方にデスクランブル処理を行って、各ＰＥＳパケットのペイロードのスクランブルが解除されたトランスポートストリームを出力するデスクランブラと、デスクランブラの出力トランスポートストリームから、Ｉピクチャを含むＰＥＳパケットのペイロードを検出し、その検出結果を出力するＩピクチャ検出部と、Ｉピクチャ検出部の出力検出結果を参照して、分岐部の出力トランスポートストリームの他方から、各ＰＥＳパケットにおけるＩピクチャのペイロードに付加されたヘッダを特定し、当該特定したヘッダ内の予約ビットの値を、第１の値とは異なる第２の値に変更して出力するヘッダ加工部と、ヘッダ加工部からの出力トランスポートストリームを蓄積ユニットに送信する第１のインタフェイスとを備える、
【００３６】
第６の発明は第５の発明に従属しており、予約ビットは、ＩＳＯ／ＩＥＣ１３８１８−１で規定されるＰＥＳ＿ｐｒｉｏｒｉｔｙである。
【００３７】
第７の発明は第５の発明に従属しており、蓄積ユニットは、第１のインタフェイスが送信したトランスポートストリームを受信して出力する第２のインタフェイスと、第２のインタフェイスの出力トランスポートストリームからパケッタイズドエレメンタリストリームを構成するＰＥＳ構成部と、ＰＥＳ構成部の出力パケッタイズドエレメンタリストリームに書き込み処理を行うデータ管理部と、データ管理部により書き込み処理されたパケッタイズドエレメンタリストリームを蓄積する記憶媒体とを備える。
【００３８】
第５〜第７の発明によれば、パケッタイズドエレメンタリストリームの予約ビットを、Ｉピクチャの判定用に用いることにより、第１の発明と同様の技術的効果を奏する。
【００３９】
第８の発明は第７の発明に従属しており、デコードユニットは、システムデコーダをさらに備える。また、蓄積ユニットはパケットセレクタおよびＴＳ構成部とをさらに備える。
【００４０】
蓄積ユニットにおいて、データ管理部はさらに、記憶媒体に蓄積されたパケッタイズドエレメンタリストリームを読み出して出力し、パケットセレクタは、データ管理部の出力パケッタイズドエレメンタリストリームから、その予約ビットに第２の値が設定されているＰＥＳパケットのみを選択し、選択したＰＥＳパケットからなるパケッタイズドエレメンタリストリームを出力し、ＴＳ構成部は、パケットセレクタの出力パケッタイズドエレメンタリストリームから、トランスポートストリームを構成し、第２のインタフェイスはさらに、ＩＥＥＥ１３９４の規格に従って、ＴＳ構成部の出力トランスポートストリームをデコードユニットに送信する。
【００４１】
デコードユニットにおいて、第１のインタフェイスは、第２のインタフェイスが送信したトランスポートストリームを出力し、デスクランブラは、第１のインタフェイスの出力トランスポートストリームにデスクランブル処理を行って、各ＰＥＳパケットのペイロードのスクランブルが解除されたトランスポートストリームを出力し、システムデコーダは、デスクランブラの出力トランスポートストリームにデコード処理を行って、デジタル映像信号およびデジタル音声信号を再生する。
【００４２】
第９の発明は第８の発明に従属しており、予約ビットは、ＩＳＯ／ＩＥＣ１３８１８−１で規定されるＰＥＳ＿ｐｒｉｏｒｉｔｙである。パケットセレクタは、データ管理部の出力パケッタイズドエレメンタリストリームから、そのＰＥＳ＿ｐｒｉｏｒｉｔｙに第２の値が設定されているＰＥＳパケットのみを選択する。
【００４３】
第８および第９の発明によれば、予約ビットを使った判定処理により、ＩピクチャのＰＥＳパケットのみを簡単に選択することができる。
【００４４】
第１０の発明は、トランスポートストリームを伝送する伝送系であって、トランスポートストリームを生成して送信する送信局と、送信局から受信したトランスポートストリームに対して記録処理および再生処理を行うデジタル信号記録再生システムとを備える。
【００４５】
送信局は、入力されたデジタル映像信号から、映像のエレメンタリストリームを生成し出力するビデオエンコーダと、ビデオエンコーダの出力エレメンタリストリームからＩピクチャを検出して、その検出結果を出力するＩピクチャ検出部と、ビデオエンコーダの出力エレメンタリストリームと、Ｉピクチャ検出部の出力検出結果とが入力され、入力検出結果に基づいて、入力エレメンタリストリームから、ＴＳヘッダとペイロードとを含むトランスポートパケットを複数個生成し、生成した複数のトランスポートパケットからなる映像のトランスポートストリームを出力するビデオＴＳ構成部と、ビデオＴＳ構成部からの出力トランスポートストリームに含まれる各ペイロードをスクランブルして出力するビデオスクランブラと、ビデオスクランブラの出力トランスポートストリームに多重化処理を行って、デジタル信号記録再生システムに送信すべきトランスポートストリームを生成し出力するＴＳ多重化部と、多重化部の出力トランスポートストリームに対して、伝送路符号化および変調処理を行って、変調信号を生成し、伝送路を介してデジタル信号記録再生システムに送信する伝送路符号化／変調部とを含む。ここで、ビデオＴＳ構成部は、入力検出結果に基づいて、ＴＳヘッダにおける予約ビットを使って、当該ＴＳヘッダの後に続くペイロードにＩピクチャの一部が含まれていることを指定する。
【００４６】
第１１の発明は第１０の発明に従属しており、デジタル信号記録再生システムは、蓄積ユニットと、蓄積ユニットから離れた場所に設置可能なデコードユニットとを備える。
【００４７】
デコードユニットは、伝送路を介して送信されてくる変調信号を復調および復号して、トランスポートストリームを出力する復調／伝送路復号部と、復調／伝送路復号部からの出力トランスポートストリームを２分岐し出力する分岐部と、分岐部の出力トランスポートストリームの一方にパーシャル化処理を行って、必要なＴＳパケットのみを含むトランスポートストリームを生成し出力するパーシャル化部と、パーシャル化部の出力トランスポートストリームを蓄積ユニットに送信する第１のインタフェイスとを備える。
【００４８】
また、蓄積ユニットは、第１のインタフェイスが送信したトランスポートストリームを受信して出力する第２のインタフェイスと、第２のインタフェイスの出力トランスポートストリームの書き込み処理を行うをデータ管理部と、データ管理部により書き込み処理されたトランスポートパケットを蓄積する記憶媒体とを備える。
【００４９】
第１２の発明は第１１の発明に従属しており、デコードユニットは、デスクランブラとシステムデコーダとをさらに備える。また、蓄積ユニットはパケットセレクタをさらに備える。
【００５０】
蓄積ユニットにおいて、データ管理部はさらに、記憶媒体に蓄積されたトランスポートパケットを読み出して出力し、パケットセレクタは、データ管理部の出力トランスポートパケットから、予約ビットを参照して、そのペイロードにＩピクチャの一部を含むトランスポートパケットのみを選択し、選択したトランスポートパケットからなるトランスポートストリームを出力し、第２のインタフェイスはさらに、パケットセレクタからの出力トランスポートストリームをデコードユニットに送信する。
【００５１】
また、デコードユニットにおいて、第１のインタフェイスは、第２のインタフェイスが送信したトランスポートストリームを出力し、デスクランブラは、第１のインタフェイスの出力トランスポートストリームにデスクランブル処理を行って、各ペイロードのスクランブルが解除されたトランスポートストリームを出力し、システムデコーダは、デスクランブラの出力トランスポートストリームにデコード処理を行って、デジタル映像信号およびデジタル音声信号を再生する。
【００５２】
第１３の発明は第１０の発明に従属しており、予約ビットは、ＩＳＯ／ＩＥＣ１３８１８−１で規定されるｔｒａｎｓｐｏｒｔ＿ｐｒｉｏｒｉｔｙである。
【００５３】
第１４の発明は、トランスポートストリームを伝送する伝送系であって、トランスポートストリームを生成して送信する送信局と、送信局から受信したトランスポートストリームに対して記録処理および再生処理を行うデジタル信号記録再生システムとを備えている。
【００５４】
送信局は、入力されたデジタル映像信号から、映像のエレメンタリストリームを出力するビデオエンコーダと、ビデオエンコーダの出力エレメンタリストリームからＩピクチャを検出して、その検出結果を出力するＩピクチャ検出部と、ビデオエンコーダの出力エレメンタリストリームと、Ｉピクチャ検出部の出力検出結果とが入力され、入力検出結果に基づいて、入力エレメンタリストリームから、ＰＥＳヘッダとペイロードとを含むＰＥＳパケットを複数個生成し、生成した複数のＰＥＳパケットからなる映像のパケッタイズドエレメンタリストリームを出力するビデオＰＥＳ構成部と、ＰＥＳ構成部の出力パケッタイズドエレメンタリストリームに含まれる各ペイロードをスクランブルして出力するビデオスクランブラと、ビデオスクランブラの出力トランスポートストリームから、映像のトランスポートストリームを出力するビデオＴＳ構成部と、ビデオＴＳ構成部の出力トランスポートストリームに多重化処理を行って、受信局に送信すべきトランスポートストリームを生成し出力するＴＳ多重化部と、多重化部の出力トランスポートストリームに対して、伝送路符号化および変調処理を行って、変調信号を生成し、伝送路を介して受信局に送信する伝送路符号化／変調部とを含む。ここで、ビデオＰＥＳ構成部は、ＰＥＳヘッダにおける予約ビットを使って、、当該ＰＥＳヘッダの後に続くペイロードにＩピクチャが含まれていることを指定する。
【００５５】
第１５の発明は第１４の発明において、デジタル信号記録再生システムは、蓄積ユニットと、蓄積ユニットから離れた場所に設置可能なデコードユニットとを備えている。
【００５６】
デコードユニットは、伝送路を介して送信されてくる変調信号を復調および復号して、トランスポートストリームを出力する復調／伝送路復号部と、復調／伝送路復号部からの出力トランスポートストリームを２分岐し出力する分岐部と、分岐部の出力トランスポートストリームの一方にパーシャル化処理を行って、必要なＴＳパケットのみを含むトランスポートストリームを生成し出力するパーシャル化部と、パーシャル化部の出力トランスポートストリームを蓄積ユニットに送信する第１のインタフェイスとを備える。
【００５７】
第１６の発明は第１５の発明に従属しており、蓄積ユニットは、第１のインタフェイスが送信したトランスポートストリームを受信して出力する第２のインタフェイスと、第２のインタフェイスの出力トランスポートストリームからパケッタイズドエレメンタリストリームを構成するＰＥＳ構成部と、ＰＥＳ構成部の出力パケッタイズドエレメンタリストリームに書き込み処理を行うデータ管理部と、データ管理部により書き込み処理されたパケッタイズドエレメンタリストリームを蓄積する記憶媒体とを備える。
【００５８】
第１７の発明は第１６の発明に従属しており、デコードユニットは、システムデコーダをさらに備える。また、蓄積ユニットはパケットセレクタおよびＴＳ構成部とをさらに備える。
【００５９】
蓄積ユニットにおいて、データ管理部はさらに、記憶媒体に蓄積されたパケッタイズドエレメンタリストリームを読み出して出力し、パケットセレクタは、データ管理部の出力パケッタイズドエレメンタリストリームから、その予約ビットに第２の値が設定されているＰＥＳパケットのみを選択し、選択したＰＥＳパケットからなるパケッタイズドエレメンタリストリームを出力し、ＴＳ構成部は、パケットセレクタの出力パケッタイズドエレメンタリストリームから、トランスポートストリームを構成し、第２のインタフェイスはさらに、ＩＥＥＥ１３９４の規格に従って、ＴＳ構成部の出力トランスポートストリームをデコードユニットに送信する。
【００６０】
また、デコードユニットにおいて、第１のインタフェイスは、第２のインタフェイスが送信したトランスポートストリームを出力し、デスクランブラは、第１のインタフェイスの出力トランスポートストリームにデスクランブル処理を行って、各ＰＥＳパケットのペイロードのスクランブルが解除されたトランスポートストリームを出力し、システムデコーダは、デスクランブラの出力トランスポートストリームにデコード処理を行って、デジタル映像信号およびデジタル音声信号を再生する。
【００６１】
第１８の発明は第１４の発明に従属しており、予約ビットは、ＩＳＯ／ＩＥＣ１３８１８−１で規定されるＰＥＳ＿ｐｒｉｏｒｉｔｙであって、
パケットセレクタは、データ管理部の出力パケッタイズドエレメンタリストリームから、そのＰＥＳ＿ｐｒｉｏｒｉｔｙに第２の値が設定されているＰＥＳパケットのみを選択する。
【００６２】
第１０〜第１８の発明によれば、送信局側で、トランスポートパケットまたはＰＥＳパケットの予約ビットを使って、ＩピクチャのトランスポートパケットおよびＩピクチャのＰＥＳパケットがどこに位置するかを指定する。これによって、記録再生システム側では、従来のようにアドレステーブルを作成する必要が無くなる。その結果、データ管理部は、記憶媒体の記憶領域を簡単に管理することができる。
【００６３】
さらに、アドレステーブルを無くしたことにより、従来のようなトランスポートストリームと位置情報との到着タイミングを正確にコントロールする必要もなくなる。さらに、予約ビットを使って、Ｉピクチャのトランスポートパケットのみを簡単に選択することができるので、デコードユニットと蓄積ユニットとを離して設置することができる。
【００６４】
【発明の実施の形態】
図１は、第１の実施形態に係るデジタル信号記録再生システム（以下、単に記録再生システムと称す）ＲＲＳ1 の構成を示すブロック図である。記録再生システムＲＲＳ1 は、デコードユニットＤＵ1 と、蓄積ユニットＳＵ1 とを備えている。
【００６５】
デコードユニットＤＵ1 は、デコード処理系を構成しており、分岐部１１と、ストリームセレクタ１２と、デスクランブラ１３と、ＭＰＥＧシステムデコーダ１４と、Ｉピクチャ検出部１５と、ＴＳヘッダ加工部１６と、インタフェイス１７とを備えている。
蓄積ユニットＳＵ1 は、読み出し／書き込み処理系を構成しており、インタフェイス２１と、ＴＳパケットセレクタ２２と、データ管理部２３と、記憶媒体２４とを備える。
【００６６】
以上のデコードユニットＤＵ1 および蓄積ユニットＳＵ1 はネットワークに収容される。より具体的には、デコードユニットＤＵ1 および蓄積ユニットＳＵ1 は、ＩＥＥＥ１３９４に代表されるインターフェイス規格に準拠したケーブル（図示せず）で接続される。これによって、デコードユニットＤＵ1 を、インタフェイス規格で定められた距離を上限として、蓄積ユニットＳＵ1 から離れた場所に設置できる。
【００６７】
なお、デコードユニットＤＵ1 または蓄積ユニットＳＵ1 には、他のケーブルにより、別のデコードユニット（図示せず）に代表される機器が接続されてもよい。また、デコードユニットＤＵ1 および蓄積ユニットＳＵ1 は無線で通信可能に接続されてもよい。
【００６８】
次に、上記構成の記録再生システムＲＲＳ1 における記録処理について説明する。記録再生システムＲＲＳ1 の遠隔に位置する送信局（図示せず）は、トランスポートストリームＴＳを当該記録再生システムＲＲＳ1 に送信する。送信局の典型例としては、放送衛星、通信衛星、地上波の放送局またはケーブルテレビのセンタ局がある。
【００６９】
トランスポートストリームＴＳは、ＭＰＥＧ２に代表される高能率符号化方式に従って、少なくとも、番組を構成するデジタル映像信号およびデジタル音声信号を基礎として生成される。さらに、トランスポートストリームＴＳは、いくつかのトランスポートパケットから構成されている。
【００７０】
図２は、トランスポートパケットを構成するビット列の定義を示しており、ＩＳＯ／ＩＥＣ１３８１８−１：１９９４（Ｅ）の２１頁の表２−２から抜粋されている。トランスポートパケットはプログラム関数のように示されているが、各行がビット列に対応している。
【００７１】
図２において、トランスポートパケットは、ＴＳヘッダとペイロードからなる。ＴＳヘッダには、情報の一項目として、ｔｒａｎｓｐｏｒｔ＿ｐｒｉｏｒｉｔｙが設定されている。ｔｒａｎｓｐｏｒｔ＿ｐｒｉｏｒｉｔｙは、予約ビットの一例であり、本来は、将来の機能拡張等ために確保されている。送信局側は、すべてのＴＳヘッダのｔｒａｎｓｐｏｒｔ＿ｐｒｉｏｒｉｔｙを０（請求項１における第１の値に相当）に設定して、トランスポートストリームＴＳを構成する。
【００７２】
また、ペイロードは、Ｉピクチャ、ＢピクチャまたはＰピクチャの一部、もしくは音声を構成する符号化されたデジタル音声信号を含んでおり、送信局側でスクランブルされる。
【００７３】
以上のトランスポートストリームＴＳは、記録再生システムＲＲＳ1 に到着した後、分岐部１１により２分岐される。一方のトランスポートストリームＴＳは、ＴＳヘッダ加工部１６に出力され、他方はストリームセレクタ１２に出力される。
ＴＳヘッダ加工部１６は、入力トランスポートストリームＴＳを、内部のバッファに一時的に格納して、Ｉピクチャ検出部１５からの制御信号ＣＳを待機する。
【００７４】
ストリームセレクタ１２は、分岐部１１からの入力系統とインタフェイス１７からの入力系統とを有しており、記録処理時には分岐部１１側の入力系統を選択し、入力トランスポートストリームＴＳをそのままデスクランブラ１３に出力する。
【００７５】
デスクランブラ１３は、入力トランスポートストリームＴＳに、デスクランブル鍵を使ったデスクランブル処理を行う。これによって、各ペイロードのスクランブルが解除され、構文解析が可能なデータ列になったトランスポートストリームＤＥＴＳが再生される。トランスポートストリームＤＥＴＳはＩピクチャ検出部１５に出力される。
【００７６】
Ｉピクチャ検出部１５は、トランスポートストリームＤＥＴＳの入力に応答して、制御信号ＣＳの作成処理を開始する。まず、Ｉピクチャ検出部１５は、各トランスポートパケットを解析して、解析対象のトランスポートパケットのペイロードがＩピクチャの一部を含んでいるか否かを判断する。
【００７７】
Ｉピクチャの一部を検出した場合、Ｉピクチャ検出部１５は、その検出結果を示す制御信号ＣＳを生成して、解析中のトランスポートパケットの、トランスポートストリームＤＥＴＳにおける位置を特定する。Ｉピクチャ検出部１５は、生成した制御信号ＣＳをＴＳヘッダ加工部１６に出力する。
【００７８】
ＴＳヘッダ加工部１６は、制御信号ＣＳの入力に応答して、ヘッダの加工を開始する。上述したように、ＴＳヘッダ加工部１６のバッファには、スクランブルされたトランスポートストリームＴＳが格納されている。
【００７９】
ＴＳヘッダ加工部１６は、入力制御信号ＣＳから、そのペイロードがＩピクチャの一部を含むトランスポートパケット（以下、Ｉピクチャのトランスポートパケットと称す）の位置を把握する。その後、ＴＳヘッダ加工部１６は、ビット位置を使ってバッファ内を検索し、Ｉピクチャのトランスポートパケットを処理対象として特定した後、処理対象のＴＳヘッダのｔｒａｎｓｐｏｒｔ＿ｐｒｉｏｒｉｔｙの値を０から１（請求項１における第２の値に相当）に変更する。
【００８０】
ＴＳヘッダ加工部１６は、Ｉピクチャのトランスポートパケットのすべてに、同様のヘッダ加工を行って、ヘッダ加工されたトランスポートストリームＰＲＴＳを生成する。トランスポートストリームＰＲＴＳはインタフェイス１７に出力される。
【００８１】
インタフェイス１７は、入力トランスポートストリームＰＲＴＳにインタフェイス規格で定められた処理を行って、ネットワークに適した形式を有するトランスポートストリームＮＴＳを生成し、蓄積ユニットＳＵ1 側のインタフェイス２１に送信する。
【００８２】
インタフェイス２１は、インタフェイス規格で定められた処理を行って、受信トランスポートストリームＮＴＳを、トランスポートストリームＰＲＴＳに変換して、データ管理部２３に出力する。
【００８３】
データ管理部２３は、トランスポートストリームＰＲＴＳを構成する各トランスポートパケットを順番に、記憶媒体２４に書き込む。これによって、記憶媒体２４には、ヘッダ加工されたトランスポートストリームＰＲＴＳがスクランブルされた状態で蓄積される。
【００８４】
なお、以上の記録処理と同時並行でユーザが番組を視聴する場合、デスクランブラ１３は、トランスポートストリームＤＥＴＳをＭＰＥＧシステムデコーダ１４に出力する。ＭＰＥＧシステムデコーダ１４は、入力トランスポートストリームＤＥＴＳに、ＭＰＥＧ２で規定されたデコード処理を行って、ベースバンドのデジタル信号である映像信号ＶＳおよび音声信号ＡＳを再生する。
【００８５】
次に、記録再生システムＲＲＳ1 における通常再生を説明する。データ管理部２３は、トランスポートストリームＰＲＴＳを先頭から順番に、記憶媒体２４から読み出して、ＴＳパケットセレクタ２２に出力する。
【００８６】
ＴＳパケットセレクタ２２は、通常再生時においては、入力トランスポートストリームＰＲＴＳをそのままインタフェイス２１に出力する。
インタフェイス２１は、入力トランスポートストリームＰＲＴＳからトランスポートストリームＮＴＳを生成して、デコードユニットＤＵ1 側のインタフェイス１７に送信する。
【００８７】
インタフェイス１７は、受信トランスポートストリームＮＴＳを、トランスポートストリームＰＲＴＳに変換して、ストリームセレクタ１２に出力する。
ストリームセレクタ１２は、通常再生時では、インタフェイス１７側の入力系統を選択し、入力トランスポートストリームＰＲＴＳをそのままデスクランブラ１３に出力する。
【００８８】
デスクランブラ１３は、入力トランスポートストリームＰＲＴＳを、デスクランブル鍵を使ってデスクランブルして、トランスポートストリームＤＥＰＲＴＳを再生し、さらに、再生したトランスポートストリームＤＥＰＲＴＳをＭＰＥＧシステムデコーダ１４に出力する。
ＭＰＥＧシステムデコーダ１４は、上述と同様に、入力トランスポートストリームＤＥＰＲＴＳから、デジタル映像信号ＶＳおよびデジタル音声信号ＡＳを再生する。
【００８９】
次に、上記構成の記録再生システムＲＲＳ1 における高速再生を説明する。データ管理部２３は、トランスポートストリームＰＲＴＳを先頭から順番に、記憶媒体２４から読み出して、ＴＳパケットセレクタ２２に出力する。
【００９０】
ＴＳパケットセレクタ２２は、高速再生時、入力トランスポートストリームＰＲＴＳ内の各トランスポートパケットに判定処理を行う。
判定処理をより具体的に説明すると、ＴＳパケットセレクタ２２は、入力トランスポートストリームＰＲＴＳを構成するトランスポートパケット内のｔｒａｎｓｐｏｒｔ＿ｐｒｉｏｒｉｔｙが０か１かを判定する。
ｔｒａｎｓｐｏｒｔ＿ｐｒｉｏｒｉｔｙが０である場合には、判定対象のトランスポートパケットのペイロードは、ＢピクチャまたはＰピクチャの一部を含んでおり、当該トランスポートパケットは高速再生には不要である。ゆえに、ＴＳパケットセレクタ２２は、ＢピクチャおよびＰピクチャのトランスポートパケットを破棄する。
【００９１】
逆に、ｔｒａｎｓｐｏｒｔ＿ｐｒｉｏｒｉｔｙが１である場合には、判定対象のトランスポートパケットのペイロードはＩピクチャの一部を含んでおり、当該トランスポートパケットは高速再生に必要である。ＴＳパケットセレクタ２２は、そのｔｒａｎｓｐｏｒｔ＿ｐｒｉｏｒｉｔｙが１のトランスポートパケットを破棄せずに、インタフェイス２１に出力する。
【００９２】
以上の判定処理により、ＴＳパケットセレクタ２２は、入力トランスポートストリームＰＲＴＳの中から、Ｉピクチャのトランスポートパケットのみを選択する。その結果、ＴＳパケットセレクタ２２からインタフェイス２１には、ＩピクチャのトランスポートパケットからなるトランスポートストリームＰＲＴＳ’が出力される。
【００９３】
インタフェイス２１は、入力トランスポートストリームＰＲＴＳ’から、ネットワークに適した形式のトランスポートストリームＮＴＳ’を生成して、デコードユニットＤＵ1 側のインタフェイス１７に送信する。
【００９４】
インタフェイス１７は、受信トランスポートストリームＮＴＳ’を、トランスポートストリームＰＲＴＳ’に変換して、ストリームセレクタ１２に出力する。
ストリームセレクタ１２は、高速再生時、インタフェイス１７側の入力系統を選択し、入力トランスポートストリームＰＲＴＳ’をそのままデスクランブラ１３に出力する。
デスクランブラ１３は、入力トランスポートストリームＰＲＴＳ’の一部を構成するペイロードをデスクランブルして、スクランブルが解除されたＩピクチャのみを含むトランスポートストリームＤＥＰＲＴＳ’を再生して、ＭＰＥＧシステムデコーダ１４に出力する。
【００９５】
ＭＰＥＧシステムデコーダ１４は、入力トランスポートストリームＤＥＰＲＴＳ’から、デジタル映像信号ＶＳ’を再生する。映像信号ＶＳ’は、ベースバンド帯のデジタル映像信号という点では、映像信号ＶＳと同様であるが、Ｉピクチャのトランスポートパケットのみから再生される点で相違する。その結果、ユーザは、表示装置上で、高速再生された番組を視聴できる。なお、音声については、従来技術と同様の方法により高速再生を行えばよいので、その説明を省略する。
【００９６】
なお、以上の通常再生および高速再生は、ユーザからの指示をトリガーとして始まる。デコードユニットＤＵ1 は、ユーザの指示に応答して、蓄積ユニットＳＵ1 側と通信を行って、記憶媒体２４が現在蓄積している番組の一覧表を取得する。この時の通信は、ネットワークを使ってもよいが、別の通信路を使ってもよい。
【００９７】
蓄積ユニットＳＵ1 は、取得された一覧表を基に、ユーザがこれから視聴したい番組を特定して、蓄積ユニットＳＵ1 のデータ管理部２３に、これから読み出すべきトランスポートストリームＰＲＴＳを指示する。この指示に応答して、データ管理部２３は、通常再生および高速再生の説明冒頭で述べた読み出し処理を開始する。
【００９８】
以上説明したように、記録再生システムＲＲＳ1 によれば、トランスポートストリームＴＳの予約ビットをＩピクチャの判定に使うことにより、アドレステーブルＡＴを作成する必要が無くなる。これによって、読み出し／書き込み処理系としての蓄積ユニットＳＵ1 と、デコード処理系としてのデコードユニットＤＵ1 を異なる場所に設置した場合であっても、高速再生に必要となるＩピクチャのみを含むトランスポートパケットを選択することができる。
【００９９】
また、記録再生システムＲＲＳ1 によれば、従来のようにアドレステーブルＡＴを作成する必要が無くなるので、データ管理部２３における読み出し処理や書き込み処理を簡素化することができる。
【０１００】
また、記録再生システムＲＲＳ1 の付加的な技術的効果として、高速再生時には、Ｉピクチャのみを含むトランスポートストリームＰＲＴＳ’がネットワーク上を流れる。言い換えれば、不要なＰピクチャまたはＢピクチャを含むトランスポートパケットは流れない。これによって、ネットワーク上のトラフィックを必要最小限に抑えることができる。
【０１０１】
図３は、第２の実施形態に係るデジタル信号記録再生システム（以下、単に記録再生システムと称す）ＲＲＳ2 の構成を示すブロック図である。記録再生システムＲＲＳ2 において、デコードユニットＤＵ2 と、蓄積ユニットＳＵ2 とは、ネットワークに収容される。
【０１０２】
デコードユニットＤＵ2 は、デコードユニットＤＵ1 （図１参照）と比較すると、ＴＳヘッダ加工部１６が、ＰＥＳヘッダ加工部３１に代わる点で相違する。それ以外は同様であるため、デコードユニットＤＵ2 において、デコードユニットＤＵ1 の構成に相当するものには、同一の参照符号を付けて、それぞれの説明を省略する。
【０１０３】
蓄積ユニットＳＵ2 は、インタフェイス４１と、ＰＥＳ構成部４２と、データ管理部４３と、記憶媒体４４と、ＰＥＳパケットセレクタ４５と、ＴＳ構成部４６とを備えている。
【０１０４】
デコードユニットＤＵ2 と、蓄積ユニットＳＵ2 とは、第１の実施形態と同様に、通信可能に接続される。
【０１０５】
次に、上記構成の記録再生システムＲＲＳ2 の記録処理について説明する。
トランスポートストリームＴＳ（図２参照）は、第１の実施形態で説明した通りであるが、より詳細には、デジタル映像信号およびデジタル音声信号を基礎として生成されたエレメンタリストリームからパケッタイズドエレメンタリストリームを経て生成される。パケッタイズドエレメンタリストリームは、いくつかのＰＥＳパケットから構成される。
【０１０６】
図４は、ＰＥＳパケットを構成するビット列の定義を示しており、ＩＳＯ／ＩＥＣ１３８１８−１：１９９４（Ｅ）の３３頁の表２−１７から抜粋されている。ＰＥＳパケットはプログラム関数のように示されているが、各行がビット列に対応している。
【０１０７】
図４において、ＰＥＳパケットは、ＰＥＳヘッダとペイロードからなる。ＰＥＳヘッダには、情報の一項目として、ＰＥＳ＿ｐｒｉｏｒｉｔｙが設定されている。ＰＥＳ＿ｐｒｉｏｒｉｔｙは予約ビットの一例であり、送信局側は、すべてのＴＳヘッダのＰＥＳ＿ｐｒｉｏｒｉｔｙを０（請求項５における第１の値に相当）に設定する。
【０１０８】
また、ペイロードは、Ｉピクチャ、ＢピクチャまたはＰピクチャ、もしくは音声を構成する符号化されたデジタル音声信号を含んでおり、送信局側でスクランブルされる。以上のように、第２の実施形態では、パケッタイズドエレメンタリストリームのペイロードがスクランブルされる。
【０１０９】
以上のパケッタイズドエレメンタリストリームがＭＰＥＧ２で規定されたサイズに分割されて、トランスポートストリームＴＳのペイロードに含められる。以上のトランスポートストリームＴＳは、デコードユニットＤＵ2 に到着した後に、分岐部１１を介して、ＰＥＳヘッダ加工部３１およびストリームセレクタ１２に入力される。
ＰＥＳヘッダ加工部３１は、入力トランスポートストリームＴＳを、内部のバッファに一時的に格納して、Ｉピクチャ検出部１５からの制御信号ＣＳを待機する。
【０１１０】
デスクランブラ１３およびＩピクチャ検出部１５は、第１の実施形態と同様に動作する。その結果、Ｉピクチャ検出部１５は、制御信号ＣＳをＰＥＳヘッダ加工部３１に出力する。
【０１１１】
ＰＥＳヘッダ加工部３１は、制御信号ＣＳの入力に応答して、ヘッダの加工を開始する。上述したように、ＴＳヘッダ加工部１６は、ＰＥＳパケットのペイロードがスクランブルされているトランスポートストリームＴＳを、内部のバッファに保持している。
【０１１２】
ＰＥＳヘッダ加工部３１は、入力制御信号ＣＳを参照して、そのペイロード部にＩピクチャを含んでいる各ＰＥＳパケット（以下、ＩピクチャのＰＥＳパケットと称す）の位置を、現在保持しているトランスポートストリームＴＳ上で特定する。その後、ＰＥＳヘッダ加工部３１は、特定したＩピクチャのＰＥＳパケットが有するＰＥＳヘッダに設定されているＰＥＳ＿ｐｒｉｏｒｉｔｙ（図４参照）の値を０から１に変更する。
【０１１３】
ＰＥＳヘッダ加工部３１は、ＩピクチャのＰＥＳパケットのすべてに同様のヘッダ加工を行って、トランスポートストリームＰＲＴＳを生成し、インタフェイス１７に出力する。
【０１１４】
インタフェイス１７は、第１の実施形態と同様に、トランスポートストリームＮＴＳを生成して、蓄積ユニットＳＵ2 側のインタフェイス２１に送信する。
インタフェイス２１は、インタフェイス１７の逆操作を行って、トランスポートストリームＰＲＴＳを再生して、ＰＥＳ構成部４２に出力する。
【０１１５】
ＰＥＳ構成部４２は、入力トランスポートストリームＰＲＴＳを分解して、ヘッダ加工されたパケッタイズドエレメンタリストリームＰＲＰＥＳを再生する。パケッタイズドエレメンタリストリームＰＲＰＥＳはデータ管理部４３に出力される。
【０１１６】
データ管理部４３は、入力パケッタイズドエレメンタリストリームＰＲＰＥＳを構成する各ＰＥＳパケットを順番に、記憶媒体４４に書き込む。これによって、記憶媒体４４には、ヘッダ加工されたパケッタイズドエレメンタリストリームＰＲＰＥＳは、各ペイロードがスクランブルされた状態で蓄積される。
【０１１７】
なお、以上の記録処理と同時並行でユーザが番組を視聴する場合、デスクランブラ１３は、トランスポートストリームＤＥＴＳをＭＰＥＧシステムデコーダ１４に出力する。ＭＰＥＧシステムデコーダ１４は、入力トランスポートストリームＤＥＴＳに、ＭＰＥＧ２で規定されたデコード処理を行って、ベースバンドのデジタル信号である映像信号ＶＳおよび音声信号ＡＳを再生する。
【０１１８】
次に、上記構成の記録再生システムＲＲＳ2 における通常再生時の動作を説明する。データ管理部４３は、パケッタイズドエレメンタリストリームＰＲＰＥＳを先頭から順番に、記憶媒体４４から読み出して、ＰＥＳパケットセレクタ４５に出力する。
【０１１９】
ＰＥＳパケットセレクタ４５は、通常再生時においては、入力パケッタイズドエレメンタリストリームＰＲＰＥＳをそのままＴＳ構成部４６に出力する。
ＴＳ構成部４６は、入力パケッタイズドエレメンタリストリームＰＲＰＥＳからトランスポートストリームＰＲＴＳを生成して、インタフェイス２１に出力する。
【０１２０】
インタフェイス２１は、入力トランスポートストリームＰＲＴＳからトランスポートストリームＮＴＳを生成して、デコードユニットＤＵ2 側のインタフェイス１７に送信する。
【０１２１】
デコードユニットＤＵ2 は、デコードユニットＤＵ1 の通常再生時と同様に動作する。その結果、ＭＰＥＧシステムデコーダ１４からデジタル映像信号ＶＳおよびデジタル音声信号ＡＳが出力される。
【０１２２】
次に、上記構成の記録再生システムＲＲＳ2 における高速再生時の動作を説明する。データ管理部４３は、パケッタイズドエレメンタリストリームＰＲＰＥＳを先頭から順番に、記憶媒体４４から読み出して、ＰＥＳパケットセレクタ４５に出力する。
【０１２３】
ＰＥＳパケットセレクタ４５は、高速再生時においては、入力パケッタイズドエレメンタリストリームＰＲＰＥＳ内の各ＰＥＳパケットに判定処理を行う。
判定処理をより具体的に説明すると、ＰＥＳパケットセレクタ４５は、各ＰＥＳパケットのＰＥＳ＿ｐｒｉｏｒｉｔｙが０か１かを判定する。
ＰＥＳ＿ｐｒｉｏｒｉｔｙが０である場合には、判定対象のＰＥＳパケットのペイロードは、ＢピクチャまたはＰピクチャを含んでおり、当該判定対象のＰＥＳパケットは高速再生には不要である。ゆえに、ＰＥＳ＿ｐｒｉｏｒｉｔｙが０のＰＥＳパケットは破棄される。
【０１２４】
逆に、ＰＥＳ＿ｐｒｉｏｒｉｔｙが１である場合には、判定対象のＰＥＳパケットのペイロードは、Ｉピクチャを含んでおり、当該判定対象のＰＥＳパケットは高速再生に必要である。ゆえに、ＰＥＳパケットセレクタ４５は、そのＰＥＳ＿ｐｒｉｏｒｉｔｙが１のＰＥＳパケットを破棄せずに、インタフェイス２１に出力する。このように、ＰＥＳパケットセレクタ４５は、入力パケッタイズドエレメンタリストリームＰＲＰＥＳの中から、ＩピクチャのＰＥＳパケットのみを選択する。その結果、ＰＥＳパケットセレクタ４５からＴＳ構成部４６には、ＩピクチャのＰＥＳパケットからなるパケッタイズドエレメンタリストリームＰＲＰＥＳ’が出力される。
【０１２５】
ＴＳ構成部４６は、入力パケッタイズドエレメンタリストリームＰＲＰＥＳ’から、トランスポートストリームＰＲＴＳ’を生成する。トランスポートストリームＰＲＴＳ’は、Ｉピクチャの一部をそのペイロードに含むＴＳパケットから構成され、ＴＳ構成部４６からインタフェイス２１に出力される。
【０１２６】
インタフェイス２１は、入力トランスポートストリームＰＲＴＳ’からトランスポートストリームＮＴＳ’を生成して、デコードユニットＤＵ2 側のインタフェイス１７に送信する。
【０１２７】
デコードユニットＤＵ2 は、デコードユニットＤＵ1 の高速再生時と同様に動作する。その結果、ＭＰＥＧシステムデコーダ１４からは、デジタル映像信号ＶＳ’およびデジタル音声信号ＡＳ’を再生する。映像信号ＶＳ’は、ベースバンド帯のデジタル映像信号という点では、映像信号ＶＳと同様であるが、Ｉピクチャのトランスポートパケットのみから再生される点で相違する。その結果、ユーザは、表示装置上で、高速再生された番組を視聴できる。なお、音声については、従来技術と同様の方法により高速再生を行えばよいので、その説明を省略する。
【０１２８】
以上説明したように、記録再生システムＲＲＳ2 によれば、パケッタイズドエレメンタリストリームＰＥＳの予約ビットをＩピクチャの判別用として使うことにより、アドレステーブルＡＴを作成する必要が無くなる。これによって、第１の実施形態と同様に、蓄積ユニットＳＵ2 と、デコードユニットＤＵ2 を離して設置しても、高速再生に必要となるＩピクチャを含むＰＥＳパケットのみを簡単に読み出すことができる。
【０１２９】
また、記録再生システムＲＲＳ2 によれば、従来のようにアドレステーブルＡＴを作成する必要が無くなるので、データ管理部４３における読み出し処理や書き込み処理を簡素化することができる。
また、記録再生システムＲＲＳ2 の付加的な技術的効果として、高速再生時には、ネットワーク上のトラフィックを必要最小限に抑えることができる。
【０１３０】
なお、以上の実施形態では、インタフェイス１７および２１とを接続するケーブルがＩＥＥＥ１３９４に準拠しているので、ＴＳ構成部４６がパケッタイズドエレメンタリストリームＰＲＰＥＳまたはＰＲＰＥＳ’をトランスポートストリームＰＲＴＳまたはＰＲＴＳ’に変換していた。しかし、規格で制限されずに、インタフェイス１７および２１はパケッタイズドエレメンタリストリームＰＲＰＥＳまたはＰＲＰＥＳ’をやりとりできるのであれば、ＴＳ構成部４６は省略してもよい。
【０１３１】
次に、本発明の第３の実施形態を説明する。第１の実施形態では、デコードユニットＤＵ1 、つまり、トランスポートストリームＴＳの受信側で、ＴＳパケットのヘッダを加工することにより、本願で設定された課題を解決していた。しかし、ＴＳヘッダの加工は、送信局側でも行うことができる。
【０１３２】
図５は、第３の実施形態に係る伝送系の全体構成を示すブロック図であり。図５において、伝送系は、送信局５１と、デジタル信号記録再生システム（以下、単に記録再生システムと称す）ＲＲＳ3 とを備えており、当該送信局５１は伝送路ＴＰを介して当該記録再生システムＲＲＳ3 にトランスポートストリームＴＳを送信する。
【０１３３】
図５はさらに、送信局５１の詳細なブロック構成を示している。図５において、送信局５１は、典型的には、放送衛星、通信衛星、地上波の放送局またはケーブルテレビのセンタ局であり、ビデオエンコーダ６１と、Ｉピクチャ検出部６２と、ビデオＴＳ構成部６３と、ビデオスクランブラ６４と、オーディオエンコーダ６５と、オーディオＴＳ構成部６６と、オーディオスクランブラ６７と、ＴＳ多重化部６８と、伝送路符号化／変調部６９とを備える。
【０１３４】
また、図６に示すように、記録再生システムＲＲＳ3 は、デコードユニットＤＵ3 と、蓄積ユニットＳＵ3 とが、ネットワークに収容されている。
記録再生システムＲＲＳ3 は、図１の記録再生システムＲＲＳ1 と比較すると、復調／伝送路復号部７１をデコードユニットＤＵ3 のフロントエンドに備える点と、ＴＳヘッダ加工部１６に代えてパーシャル化部７２を備える点と、Ｉピクチャ検出部１５を備えない点とで相違する。それ以外に相違点はないので、記録再生システムＲＲＳ3 において、記録再生システムＲＲＳ1 の構成に相当するものには同一の参照符号を付けて、その説明を省略する。
【０１３５】
次に、上記構成の伝送系において、トランスポートストリームＴＳの記録処理時の動作を説明する。
まず、図５において、送信局５１のビデオエンコーダ６１には、ベースバンドのデジタル映像信号ＶＳが入力される。ビデオエンコーダ６１は、入力デジタル映像信号ＶＳにＭＰＥＧ２映像規格に従う符号化を行って、映像のエレメンタリストリームＶＥＳを生成する。エレメンタリストリームＶＥＳは２分岐された後、その一方がＩピクチャ検出部６２に入力され、その他方がビデオＴＳ構成部６３に入力される。
【０１３６】
Ｉピクチャ検出部６２は、エレメンタリストリームＶＥＳの入力に応答して、制御信号ＣＳの作成処理を開始する。まず、Ｉピクチャ検出部６２は、エレメンタリストリームＶＥＳを解析して、当該エレメンタリストリームＶＥＳの中からＩピクチャを検出する。
【０１３７】
Ｉピクチャ検出部６２は、Ｉピクチャを検出した場合、制御信号ＣＳ1 を生成して、ビデオＴＳ構成部６３に出力する。制御信号ＣＳ1 は、予約ビットの一例としてのｔｒａｎｓｐｏｒｔ＿ｐｉｒｏｒｉｔｙ（図２参照）の値を、予め定められた第１の値の一例としての１に設定するようにビデオＴＳ構成部６３に指示するための信号である。
【０１３８】
また、Ｉピクチャ検出部６２は好ましくは、ＢピクチャおよびＰピクチャを検出した場合、制御信号ＣＳ2 を生成して、ビデオＴＳ構成部６３に出力する。制御信号ＣＳ2 は、ｔｒａｎｓｐｏｒｔ＿ｐｒｉｏｒｉｔｙの値を、予め定められた第２の値の一例としての０に設定するように指示するための信号である。
【０１３９】
ビデオＴＳ構成部６３は、入力エレメンタリストリームＶＥＳから、複数の映像のＴＳパケットを組み立てる。
【０１４０】
ここで注意を要するのは、ビデオＴＳ構成部６３は、制御信号ＣＳ1 とＣＳ2 に基づいて、各ＴＳパケットのヘッダを生成する。より具体的には、ビデオＴＳ構成部６３には、制御信号ＣＳ1 とＩピクチャとが実質的に同じタイミングで入力される。ビデオＴＳ構成部６３は、Ｉピクチャの一部をペイロードに含める場合には、当該ペイロードにｔｒａｎｓｐｏｒｔ＿ｐｒｉｏｒｉｔｙとして１が設定されたＴＳヘッダを付加して、ＴＳパケットを組み立てる。
【０１４１】
逆に、ビデオＴＳ構成部６３は、制御信号ＣＳ2 の入力時には、ＢピクチャまたはＰピクチャを基礎として、そのヘッダのｔｒａｎｓｐｏｒｔ＿ｐｒｉｏｒｉｔｙが０に設定され、かつそのペイロードにＢピクチャまたはＰピクチャの一部を含むＴＳパケットを生成する。
【０１４２】
ビデオＴＳ構成部６３は、生成した各ＴＳパケットを順番に並べて、トランスポートストリームＶＴＳを生成する。トランスポートストリームＶＴＳは、ビデオスクランブラ６４に出力される。
ビデオスクランブラ６４は、スクランブルを行って、入力トランスポートストリームＶＴＳ内の各ペイロードをスクランブルする。スクランブルされたトランスポートＶＴＳは、トランスポートストリームＳＶＴＳとしてＴＳ多重化部６８に出力される。
【０１４３】
オーディオエンコーダ６５、オーディオＴＳ構成部６６およびオーディオスクランブラ６７は、周知技術で構成可能であるので、それぞれの詳細な説明を省略するが、ベースバンドのデジタル音声信号から、トランスポートストリームＳＡＴＳを生成してＴＳ多重化部６８に出力する。
【０１４４】
トランスポートストリームＳＡＴＳは、ＴＳパケットにより構成され、さらに当該各ＴＳパケットのペイロードがスクランブルされる点では、トランスポートストリームＳＶＴＳと同様である。しかし、トランスポートストリームＳＡＴＳの各ペイロードが、符号化されたデジタル音声信号の一部を含む点で相違する。
【０１４５】
ＴＳ多重化部６８は、オーディオスクランブラ６７の出力トランスポートストリームＳＡＴＳと、ビデオスクランブラ６４の出力トランスポートストリームＳＡＴＳに多重化を行って、トランスポートストリームＴＳを生成する。さらに、図示はしていないが、ＴＳ多重化部６８は、番組の一覧表等のデータを基礎に生成されたストリームをトランスポートストリームＴＳに多重する場合もある。以上のトランスポートストリームＴＳは、伝送路符号化／変調部６９に出力される。
【０１４６】
伝送路符号化／変調部６９は、入力トランスポートストリームＴＳに伝送路ＴＰの特性に合った誤り訂正処理および変調処理を行って、変調信号ＭＳとして伝送路ＴＰに送出する。
【０１４７】
図６の記録再生システムＲＲＳ3 は、伝送路ＴＰを介して、変調信号ＭＳを受信する。より具体的には、変調信号ＭＳは、デコードユニットＤＵ3 の復調／伝送路復号部７１により受信される。復調／伝送路復号部７１は、伝送路符号化／変調部６９の逆操作、つまり復調処理および復号処理を受信信号ＭＳに行って、トランスポートストリームＴＳを再生する。再生されたトランスポートストリームＴＳは分岐部１１に出力される。
【０１４８】
分岐部１１は、入力トランスポートストリームＴＳを２分岐し、一方のトランスポートストリームＴＳをパーシャル化部７２に出力し、他方をストリームセレクタ１２に出力する。
パーシャル化部７２は、パーシャル化処理を行って、トランスポートストリームＴＳの中から、特定のＰＩＤを含むＴＳパケットを選択する。ここで、特定のＰＩＤとは典型的には、番組の一覧表のデータを含むＴＳパケットおよびユーザが契約により視聴可能な番組を構成するＴＳパケットに付加されているＰＩＤを意味する。パーシャル化部７２は、パーシャル化処理により選択されたＴＳパケットで構成されるトランスポートストリームＴＳを、トランスポートストリームＳＴＳとしてインタフェイス１７に出力する。
【０１４９】
インタフェイス１７は、入力トランスポートストリームＳＴＳから、ネットワークに適した形式のトランスポートストリームＮＴＳを生成する。トランスポートストリームＮＴＳは、ネットワーク上を伝送され、蓄積ユニットＳＵ3 のインタフェイス２１により受信される。
【０１５０】
蓄積ユニットＳＵ3 は、蓄積ユニットＳＵ1 と同様の処理を行って、記憶媒体２４に、トランスポートストリームＳＴＳを書き込む。トランスポートストリームＳＴＳでは、第１の実施形態のトランスポートストリームＰＲＴＳと同様に、Ｉピクチャの一部を含むＴＳパケットのｔｒａｎｓｐｏｒｔ＿ｐｒｉｏｒｉｔｙが１に設定されており、さらに、各ペイロードがスクランブルされている。
【０１５１】
なお、以上の記録処理と同時並行でユーザが番組を視聴する場合、ストリームセレクタ１２、デスクランブラ１３およびＭＰＥＧシステムデコーダ１４は、第１の実施形態における説明と同様に動作し、その結果、ベースバンドのデジタル信号である映像信号ＶＳおよび音声信号ＡＳが再生される。
【０１５２】
また、記録再生システムＲＲＳ3 における通常再生時の動作は、第１の実施形態における説明と同様であるため、その説明を省略する。
さらに、記録再生システムＲＲＳ3 における高速再生時の動作もまた、第１の実施形態における説明と同様であるため、その説明を省略する。以上のように、記録再生システムＲＲＳ3 によれば、第１の実施形態と同様に、トランスポートストリームＴＳの予約ビットがＩピクチャの判定用に使われるので、第３の実施形態もまた、第１の実施形態と同様の技術的効果を得ることが可能となる。
【０１５３】
次に、本発明の第４の実施形態を説明する。第２の実施形態では、デコードユニットＤＵ2 、つまり、トランスポートストリームＴＳの受信側で、ＰＥＳパケットのヘッダを加工することにより、本願で設定された課題を解決していた。しかし、ＰＥＳヘッダの加工は、送信局でも行うことができる。
【０１５４】
図７は、第４の実施形態に係る伝送系の全体構成を示すブロック図であり。図７において、伝送系には、送信局８１と、デジタル信号記録再生システム（以下、単に記録再生システムと称す）ＲＲＳ4 とを備えており、当該送信局８１は伝送路ＴＰを介して当該記録再生システムＲＲＳ4 にトランスポートストリームＴＳを送信する。
【０１５５】
図７はさらに、送信局８１の詳細なブロック構成を示している。送信局８１は、送信局５１（図５参照）と比較すると、Ｉピクチャ検出部６２、ビデオＴＳ構成部６３およびビデオスクランブラ６４の部分が、Ｉピクチャ検出部９１、ビデオＰＥＳ構成部９２、ビデオスクランブラ９３およびビデオＴＳ構成部９４に代わる点で相違する。それ以外に相違点はないので、送信局８１において、送信局５１に相当する構成には同一の参照符号を付けてその説明を省略する。
【０１５６】
また、記録再生システムＲＲＳ4 は、図８に示すように、デコードユニットＤＵ4 と、蓄積ユニットＳＵ4 とを備えている。記録再生システムＲＲＳ4 は、記録再生システムＲＲＳ2 （図３参照）と比較すると、復調／伝送路復号部１０１をデコードユニットＤＵ4 のフロントエンドに備える点と、ＰＥＳヘッダ加工部３１がパーシャル化部１０２に代わる点と、Ｉピクチャ検出部１５を備えない点で相違する。それ以外に相違点はないので、記録再生システムＲＲＳ4 において、記録再生システムＲＲＳ2 の構成に相当するものには同一の参照符号を付けて、その説明を省略する。
【０１５７】
次に、上記構成の伝送系において、トランスポートストリームＴＳの記録処理時の動作を説明する。
図７の送信局８１において、オーディオエンコーダ６５、オーディオＴＳ構成部６６およびオーディオスクランブラ６７は、第３の実施形態と同様に、デジタル音声信号ＡＳを基礎として生成されたトランスポートストリームＳＡＴＳをＴＳ多重化部６８に出力する。
【０１５８】
ビデオエンコーダ６１は、第３の実施形態と同様に動作し、生成したエレメンタリストリームＶＥＳをＩピクチャ検出部９１およびビデオＰＥＳ構成部９２に出力する。
【０１５９】
Ｉピクチャ検出部９１は、入力エレメンタリストリームＶＥＳからＩピクチャを検出した場合、制御信号ＣＳ1 を生成して、ビデオＰＥＳ構成部９２に出力する。制御信号ＣＳ1 は、予約ビットの一例としてのＰＥＳ＿ｐｉｒｏｒｉｔｙ（図２参照）の値を、予め定められた第１の値の一例としての１に設定するようにビデオＰＥＳ構成部９２に指示するための信号である。
【０１６０】
また、Ｉピクチャ検出部９１は好ましくは、入力エレメンタリストリームＶＥＳからＢピクチャおよびＰピクチャを検出した場合、制御信号ＣＳ2 を生成して、ビデオＰＥＳ構成部９２に出力する。制御信号ＣＳ2 は、ＰＥＳ＿ｐｒｉｏｒｉｔｙの値を、予め定められた第２の値の一例としての０に設定するように指示するための信号である。
【０１６１】
ビデオＰＥＳ構成部９２は、入力エレメンタリストリームＶＥＳから、複数の映像のＰＥＳパケットを組み立てる。
かかる組み立てにおいて注意を要するのは、ビデオＰＥＳ構成部９２は、制御信号ＣＳ1 とＣＳ2 に基づいて、各ＰＥＳパケットのヘッダを生成する。より具体的には、ビデオＰＥＳ構成部９２には、制御信号ＣＳ1 とＩピクチャとが実質的に同じタイミングで入力される。ビデオＰＥＳ構成部９２は、Ｉピクチャをペイロードに含める場合には、当該ペイロードにＰＥＳ＿ｐｒｉｏｒｉｔｙとして１が設定されたＰＥＳヘッダを付加して、ＰＥＳパケットを組み立てる。
【０１６２】
逆に、ビデオＰＥＳ構成部９２は、制御信号ＣＳ2 の入力時には、ＢピクチャまたはＰピクチャを基礎として、そのヘッダのＰＥＳ＿ｐｒｉｏｒｉｔｙが０に設定され、かつそのペイロードがＢピクチャまたはＰピクチャを含むＰＥＳパケットを生成する。
【０１６３】
ビデオＰＥＳ構成部９２は、生成した各ＰＥＳパケットを順番に並べて、映像のパケッタイズドエレメンタリストリームＶＰＥＳを生成する。パケッタイズドトランスポートストリームＶＰＥＳは、ビデオスクランブラ９３に出力される。
【０１６４】
ビデオスクランブラ９３は、スクランブルを行って、入力パケッタイズドエレメンタリストリームＶＰＥＳ内の各ペイロードをスクランブルする。スクランブルされたパケッタイズドエレメンタリストリームＶＰＥＳは、パケッタイズドエレメンタリストリームＳＶＰＥＳとしてビデオＴＳ構成部９４に出力される。
【０１６５】
ビデオＴＳ構成部９４は、入力パケッタイズドエレメンタリストリームＳＶＰＥＳから、複数の映像のＴＳパケットを組み立てる。さらに、ビデオＴＳ構成部９４は、生成した各ＴＳパケットを順番に並べて、トランスポートストリームＶＴＳを生成する。トランスポートストリームＶＴＳは、ＴＳ多重化部６８に出力される。
【０１６６】
その結果、図８の復調／伝送路復号部１０１は、伝送路ＴＰを介して、トランスポートストリームＴＳで変調された変調信号ＭＳを受信する。復調／伝送路復号部１０１は、復調／伝送路復号部７１と同様に、トランスポートストリームＴＳを再生して分岐部１１に出力する。
【０１６７】
分岐部１１は、入力トランスポートストリームＴＳを２分岐し、一方のトランスポートストリームＴＳをパーシャル化部１０２に出力し、他方をストリームセレクタ１２に出力する。
パーシャル化部１０２は、パーシャル化部７２と同様のパーシャル化処理を行って、トランスポートストリームＳＴＳを再生し、インタフェイス１７に出力する。
インタフェイス１７は、トランスポートストリームＳＴＳから、トランスポートストリームＮＴＳを生成し、蓄積ユニットＳＵ3 のインタフェイス２１に送信する。
【０１６８】
蓄積ユニットＳＵ3 は、蓄積ユニットＳＵ1 と同様の処理を行って、記憶媒体２４に、トランスポートストリームＳＴＳを書き込む。トランスポートストリームＳＴＳでは、第２の実施形態のパケッタイズドエレメンタリストリームＰＲＰＥＳと同様に、Ｉピクチャを含むＰＥＳパケットのＰＥＳ＿ｐｒｉｏｒｉｔｙが１に設定されており、さらに、各ペイロードがスクランブルされている。
【０１６９】
なお、以上の記録処理と同時並行でユーザが番組を視聴する場合、ストリームセレクタ１２、デスクランブラ１３およびＭＰＥＧシステムデコーダ１４は、第１の実施形態における説明と同様に動作し、その結果、ベースバンドのデジタル信号である映像信号ＶＳおよび音声信号ＡＳが再生される。
【０１７０】
また、記録再生システムＲＲＳ4 における通常再生時の動作は、記録再生システムＲＲＳ2 のそれと同様であるため、その説明を省略する。
さらに、記録再生システムＲＲＳ4 における高速再生時の動作もまた、記録再生システムＲＲＳ2 のそれと同様であるため、その説明を省略する。以上のように、記録再生システムＲＲＳ4 によれば、第２の実施形態と同様に、パケッタイズドエレメンタリストリームＰＥＳの予約ビットがＩピクチャの判定用に使われるので、第４の実施形態もまた、第２の実施形態と同様の技術的効果を得ることが可能となる。
【図面の簡単な説明】
【図１】記録再生システムＲＲＳ1 の全体構成を示すブロック図である。
【図２】ＴＳパケットのデータ構造を示す図である。
【図３】記録再生システムＲＲＳ2 の全体構成を示すブロック図である。
【図４】ＰＥＳパケットのデータ構造を示す図である。
【図５】送信局５１の全体構成を示すブロック図である。
【図６】記録再生システムＲＲＳ3 の全体構成を示すブロック図である。
【図７】送信局８１の全体構成を示すブロック図である。
【図８】記録再生システムＲＲＳ4 の全体構成を示すブロック図である。
【図９】従来の記録再生装置の構成を示すブロック図である。
【符号の説明】
ＲＲＳ1 〜ＲＲＳ4 …記録再生システム
ＤＵ1 〜ＤＵ4 …デコードユニット
１１…分岐部
１２…ストリームセレクタ
１３…デスクランブラ
１４…ＭＰＥＧシステムデコーダ
１５…Ｉピクチャ検出部
１６…ＴＳヘッダ加工部
１７…インタフェイス
３１…ＰＥＳヘッダ加工部
７１，１０１…復調／伝送路復号部
７２，１０２…パーシャル化部
ＳＵ1 〜ＳＵ4 …蓄積ユニット
２１，４１…インタフェイス
２２…ＴＳパケットセレクタ
２３，４３…データ管理部
２４，４４…記憶媒体
４２…ＰＥＳ構成部
４５…ＰＥＳパケットセレクタ
４６…ＴＳ構成部
５１，８１…送信局
６１…ビデオエンコーダ
６２，９１…Ｉピクチャ検出部
６３，９４…ビデオＴＳ構成部
６４，９３…ビデオスクランブラ
６８…ＴＳ多重化部
６９…伝送路符号化／変調部
９２…ビデオＰＥＳ構成部
【図１】
0004331876.tif 000002
【図２】
0004331876.tif 000003
【図３】
0004331876.tif 000004
【図４】
0004331876.tif 000005
【図５】
0004331876.tif 000006
【図６】
0004331876.tif 000007
【図７】
0004331876.tif 000008
【図８】
0004331876.tif 000009
【図９】
0004331876.tif 000010